(57)【要約】【課題】  オゾン発生素子を、電源等を含む本体から容易に分離可能とするオゾン発生器を提供する。【解決手段】  オゾン発生器３１ｂのケース本体３２ｂには、オゾン生成部１２、オゾン生成部１２にオゾンを発生させるための電圧を印加する電源３８ｂ、及びオゾン生成部１２内に空気を循環させるエアポンプ４０ｂが備えられている。ここで、オゾン生成部１２は、オゾン発生素子１７を内蔵したカートリッジ１３と、このカートリッジ１３を脱着自在な取付状態で収納するカートリッジ接続部１４とからなる。そして、このカートリッジ１３は、ケース本体３２ｂの背面に、その一部が突出するように設置される。【選択図】      図２
0003122973.tif 000002
【実用新案登録請求の範囲】
【請求項１】
所定電圧が印加されることによってオゾンを発生するオゾン発生素子を備えたオゾン発生器であって、
前記所定電圧を印加するための電圧手段を含むケース本体と、
前記オゾン発生素子を内蔵し、前記ケース本体にその外方から脱着自在に取り付けられるカートリッジとを備えた、オゾン発生器。
【請求項２】
前記カートリッジは、両端が閉じられた第１の筒状体であって、前記両端のうちの取付側の端面に、酸素を含んだ気体を内部へ取り込む吸気孔と、前記オゾンを含んだ気体を外部へ排出する排気孔とが形成されると共に、前記第１の筒状体の胴部の外側面に、前記オゾン発生素子に繋がる正端子及び負端子が露出するように形成され、
前記ケース本体は、その一方端部のみが開放され、内面に前記第１の筒状体の少なくとも一部を挿入できる第２の筒状体を備え、
前記第２の筒状体は、前記酸素を含んだ気体を搬送する吸気管と、前記オゾンを含んだ気体を搬送する排気管とを、その他方端部から内側に向かって突出するように備えると共に、前記電圧手段から前記所定電圧が印加される正負の電圧印加端子を、前記第２の筒状体の胴部の内側面側に突出させるように備え、
前記第１の筒状体が前記第２の筒状体内に挿入された取付状態において、前記吸気管及び前記排気管の各々に対して、前記吸気孔及び前記排気孔の各々が嵌合されると共に、前記正負の電圧印加端子の各々に対して、前記正端子及び前記負端子の各々が接触状態となる、請求項１記載のオゾン発生器。
【請求項３】
前記カートリッジは、前記取付状態において、所定の一部が前記外方から視認可能な状態で、前記ケース本体に設置され、
少なくとも前記所定の一部は、前記オゾンの発光色を透過する透明体で形成される、請求項２記載のオゾン発生器。
【請求項４】
前記カートリッジの前記正端子及び前記負端子の各々は、前記第１の筒状体の胴部の対向する外側面に配置され、
前記正負の電圧印加端子は、一対のボールプランジャーであって、前記取付状態において、各々のボール部側を前記正端子及び前記負端子の各々に対して押圧状態となるように配置される、請求項２又は請求項３記載のオゾン発生器。
【考案の詳細な説明】
【技術分野】
【０００１】
この考案は、オゾン発生器に関し、特にオゾン発生素子を容易に交換するためのオゾン発生器に関するものである。
【背景技術】
【０００２】
図１１は従来のオゾン発生器の正面図であり、図１２は図１１のＸＩＩ−ＸＩＩラインの断面図である。
先ず図１２を参照して、オゾン発生器３１ａは、ケース本体３２ａの内部に、電源３８ａとエアポンプ４０ａとを備えている。そして、電源３８ａには、電圧の印加によりオゾンを発生するオゾン発生素子３９を内部に有するオゾン発生部４４が備え付けられている。このオゾン発生部４４は、吸気配管４２ａによりエアポンプ４０ａと接続されている。そして、エアポンプ４０ａのエア吸入口４１ａから吸い込まれた空気が、その吸気配管４２ａを介して、オゾン発生部４４の内部に取り込まれる。また、オゾン発生部４４には排気配管４３ａが接続されている。これにより、オゾン発生部４４内で発生したオゾンは、排気配管４３ａ内を搬送され、図１１に示されている正面のオゾン吹出口３７から排出される。そして、排出されるオゾン量等は、エア調節ノブ３５やオゾン調節ノブ３６を用いて調節される。また、オゾン発生器３１ａの動作は、電源スイッチ３３及びタイマー３４により制御される。
【０００３】
このような、空気中の酸素を原料にしてオゾンを生成する場合は、汚れた空気によりオゾン発生素子３９の表面が不純析出物により汚染される。これにより、オゾン発生素子３９の放電電極間（図示せず）が不均一な状態となるので放電効率が徐々に低下し、放電効果が損なわれる。
【０００４】
このオゾン発生素子３９の表面に析出した不純析出物は、アルコール等の揮発性の高い液体を用いた洗浄により除去し、オゾン発生素子３９の寿命を延ばすことが可能である。
【０００５】
但し、この空気を原料とする場合は、純粋な酸素を原料とするオゾン発生方式と異なり、洗浄による不純析出物の除去を行ったとしてもオゾン発生素子３９の劣化は進行するため、永久に使用することはできず、交換が必要となる。
【考案の開示】
【考案が解決しようとする課題】
【０００６】
しかしながら、上記のような従来のオゾン発生器では、オゾン発生素子は、内部で電源に対して直接に固定されていた。そのため、オゾン発生素子が劣化しても、ユーザーが容易に交換することができず、メーカー側が、ケース本体３２を開放してオゾン発生素子と一体に固定されている電源と共に交換する必要があった。したがって、オゾン発生素子の寿命が尽きれば、電源の使用が可能であっても電源と共に交換しなければならず、非経済的であった。
この考案は、上記のような課題を解決するためになされたもので、オゾン発生素子を、電源等を含む本体から容易に分離可能とするオゾン発生器を提供することを目的とする。
【０００７】
【課題を解決するための手段】
【０００８】
上記の目的を達成するために、請求項１記載の考案は、所定電圧が印加されることによってオゾンを発生するオゾン発生素子を備えたオゾン発生器であって、所定電圧を印加するための電圧手段を含むケース本体と、オゾン発生素子を内蔵し、ケース本体にその外方から脱着自在に取り付けられるカートリッジとを備えたものである。
このように構成すると、オゾン発生素子がカートリッジと共にケース本体から分離自在となる。
【０００９】
請求項２記載の考案は、請求項１記載の考案の構成において、カートリッジは、両端が閉じられた第１の筒状体であって、両端のうちの取付側の端面に、酸素を含んだ気体を内部へ取り込む吸気孔と、オゾンを含んだ気体を外部へ排出する排気孔とが形成されると共に、第１の筒状体の胴部の外側面に、オゾン発生素子に繋がる正端子及び負端子が露出するように形成され、ケース本体は、その一方端部のみが開放され、内面に第１の筒状体の少なくとも一部を挿入できる第２の筒状体を備え、第２の筒状体は、酸素を含んだ気体を搬送する吸気管と、オゾンを含んだ気体を搬送する排気管とを、その他方端部から内側に向かって突出するように備えると共に、電圧手段から所定電圧が印加される正負の電圧印加端子を、第２の筒状体の胴部の内側面側に突出させるように備え、第１の筒状体が第２の筒状体内に挿入された取付状態において、吸気管及び排気管の各々に対して、吸気孔及び排気孔の各々が嵌合されると共に、正負の電圧印加端子の各々に対して、正端子及び負端子の各々が接触状態となるものである。
【００１０】
このように構成すると、カートリッジをケース本体に取り付ける際に、吸気孔及び排気孔が吸気管及び排気管に嵌合されると共に、正端子及び負端子が正負の電圧印加端子へも接触状態となる。
【００１１】
請求項３記載の考案は、請求項２記載の考案の構成において、カートリッジは、取付状態において、所定の一部が外方から視認可能な状態で、ケース本体に設置され、少なくとも所定の一部は、オゾンの発光色を透過する透明体で形成されるものである。
【００１２】
このように構成すると、透明体で形成された所定の一部を介して、外部からオゾンの発光色が視認される。
【００１３】
請求項４記載の考案は、請求項２又は請求項３記載の考案の構成において、カートリッジの正端子及び負端子の各々は、第１の筒状体の胴部の対向する外側面に配置され、正負の電圧印加端子は、一対のボールプランジャーであって、取付状態において、各々のボール部側を正端子及び負端子の各々に対して押圧状態となるように配置されるものである。
【００１４】
このように構成すると、カートリッジは、正端子及び負端子において、ボールプランジャーにより押圧状態で挟まれる。
【００１５】
【考案の効果】
【００１６】
以上説明したように、請求項１記載の考案は、オゾン発生素子がカートリッジと共にケース本体から分離自在となるので、劣化したオゾン発生素子の交換が容易となる。
請求項２記載の考案は、請求項１記載の考案の効果に加えて、吸気孔及び排気孔が吸気管及び排気管に嵌合されると共に、正端子及び負端子が正負の電圧印加端子へも接触状態となり、接続のための配管や配線を用いずとも吸排気系統及び電気系統の接続が一度に済むと共に正確に行われるので、カートリッジのケース本体への取付が容易となる。
【００１７】
請求項３記載の考案は、請求項２記載の考案の効果に加えて、透明体で形成された所定の一部を介して、外部からオゾンの発光色が視認でき、オゾン発生素子の劣化状態が判るので、オゾン発生素子の交換を効率的に行うことが可能となる。
【００１８】
請求項４記載の考案は、請求項２又は請求項３記載の考案の効果に加えて、カートリッジは、正端子及び負端子において、ボールプランジャーにより対向位置の両側から押圧状態で挟まれるので、カートリッジの不用意なずれを生じることなく良好な電気接続状態を確保できると共に、カートリッジの簡易な固定が可能となる。
【考案を実施するための最良の形態】
【００１９】
図１は、この考案の第１の実施の形態によるオゾン発生器の背面図であり、図２は図１のＩＩ−ＩＩラインの断面図である。
尚、正面図は従来例として示した図１１のものと同一であるため、ここでは繰り返して図示しない。
【００２０】
これらの図を参照して、オゾン発生器３１ｂのケース本体３２ｂには、オゾン生成部１２、オゾン生成部１２にオゾンを発生させるための高電圧（所定電圧）を印加する電源３８ｂ（電圧手段）、及びオゾン生成部１２内に空気を循環させるエアポンプ４０ｂが備えられている。
【００２１】
ここで、オゾン生成部１２は、オゾン発生素子１７を内蔵したカートリッジ１３と、このカートリッジ１３を脱着自在な取付状態で収納するカートリッジ接続部１４とからなる。このカートリッジ接続部１４は、開放された一端がケース本体３２ｂの内壁に固定されている。そして、カートリッジ１３は、ケース本体３２ｂの背面側に、その一部（所定の一部）を突出するようにカートリッジ接続部１４内に取り付けられている。これにより、カートリッジ１３は、ケース本体の外方から脱着自在となり、オゾン発生素子１７は、劣化した場合などに、カートリッジ１３と共に容易に交換可能となる。尚、上記カートリッジ１３の素材には、耐オゾン性の塩化ビニール等が用いられる。
【００２２】
一方、エアポンプ４０ｂは、エア吸入口４１ｂから吸い込んだ空気（酸素を含んだ気体）をオゾン生成部１２へ送るために、吸気配管４２ｂによりオゾン生成部１２と接続される。そして、エアポンプ４０ｂから送られた空気を原料として、オゾン生成部１２内で生成されたオゾンを含んだ気体は、オゾン生成部１２とケース本体３２ｂの前面壁とを接続する排気配管４３ｂを介して、オゾン発生器３１ｂの前面側へ排出される。
【００２３】
図３は図２のＸ部分のオゾン生成部を拡大した正面側からみた斜視図であり、図４は図３のオゾン生成部の背面側からみた斜視図であり、図５は図４のＶ−Ｖラインの断面図であり、また、図６は図４のＶＩ−ＶＩラインの断面図である。
【００２４】
これらの図を参照して、カートリッジ１３は両端が閉じられた筒状の構造を有しており（第１の筒状体）、カートリッジ接続部１４は、一方のみが開放された筒状の構造を有している（第２の筒状体）。
【００２５】
そして、図３に示すように、カートリッジ接続部１４から突出したカートリッジ１３の端部は、透明なレンズ体１８（透明体）により形成されている。これにより、使用時には、内部で発生するオゾンの発光色を確認することができるので、内蔵されたオゾン発生素子１７の劣化状態を、その発光色により判別することが可能である。一方、オゾン発生器が正常に稼動しているかどうかは、オゾン濃度測定器等を用いて数値で判断することができ、また、発生するオゾンの臭気で判断することもできる。しかし、前者は、ユーザーサイドでチェックするためだけに高価なオゾン濃度測定器を備える必要があるため非経済的であり、また、後者の臭気による判断はあまりにも大雑把である。したがって、オゾンの発光色による劣化の判断は、ユーザーサイドで容易に実施できる有効な手段である。
【００２６】
また、図４に示すように、カートリッジ接続部１４の閉じられた側の端部には、図２に示した吸気配管４２ｂが接続される吸気管１５と、図２に示した排気配管４３ｂが接続される排気管１６とが突出するように備えられている。これら吸気管１５及び排気管１６の各々はカートリッジ接続部１４を貫通してその内側面側へも突出しており、カートリッジ接続部１４の内部に挿入されるカートリッジ１３の取付側の端面に形成された吸気孔２７及び排気孔２８の各々に嵌合される。
【００２７】
更に、カートリッジ接続部１４の胴部の外側面を貫通するように、図２に示した電源３８ｂから電圧が印加される一対のボールプランジャー１９ａ、１９ｂ（正負の電圧印加端子）が設けられている。
【００２８】
ここで図５及び図６を参照して、上記のようにカートリッジ接続部１４内に脱着自在に取り付けられたカートリッジ１３内のオゾン発生素子１７の詳細と、その周辺を流れる気流の状態が示されている。
【００２９】
オゾン発生素子１７は、図５に示すように、誘電体２１が電極２０ａ及び２０ｂにて挟まれたサンドイッチ構造となっている。また、電極２０ａ、２０ｂの各々から延びる配線は、図６に示すように、一対のボールプランジャー１９ａ、１９ｂと軸方向を合わせるようにカートリッジ１３内に埋設された、端子２５ａ、２５ｂ（正端子及び負端子）の各々と接続されている。
【００３０】
尚、これら図５及び図６では、図３及び図４にて省略した、カートリッジ接続部１４のケース本体３２ｂへの取付状態の詳細が示されている。すなわち、ケース本体３２ｂの背面側には、カートリッジ１３が挿入可能なように形成された開口の縁に対して、カートリッジ接続部１４の開放された端部が、ボルト２２ａ、２２ｂにより固定されている。
【００３１】
図７は図３のオゾン生成部をカートリッジとカートリッジ接続部とに分解した正面側からみた斜視図であり、図８は図７のオゾン生成部の背面側からみた分解斜視図であり、図９は図８のＩＸ−ＩＸラインの断面図であり、また、図１０は図８のＸ−Ｘラインの断面図である。
【００３２】
先ず、図７及び図８を参照して、カートリッジ１３の胴部の外側面には、内部でオゾン発生素子１７の電極２０ａ、２０ｂの各々に接続されている端子２５ａ、２５ｂが外側面に露出するように、互いに対向して設けられている。
【００３３】
ここで、図９及び図１０に示すように、ボールプランジャー１９ａ、１９ｂは、その先端のボール部２４ａ、２４ｂがカートリッジ接続部１４の内部へ僅かに突出するように設置されている。
【００３４】
したがって、カートリッジ１３が、カートリッジ接続部１４内に取り付けられている状態において、ボール部２４ａ、２４ｂの各々が、ボールプランジャー１９ａ、１９ｂの内部に備えられたバネ（図示せず）の力により押し出され、端子２５ａ、２６ｂの各々に押圧状態で接触する。
【００３５】
以上のような構成により、カートリッジ１３は、取付時にカートリッジ接続部１４の吸気管１５及び排気管１６と嵌合されることにより軸中心の回転が阻止されるので、ボールプランジャー１９ａ、１９ｂに対する端子２５ａ、２５ｂの位置決めがなされ、確実に電気的接続が行われる。
【００３６】
また、端子２５ａ、２５ｂは、ボールプランジャー１９ａ及び１９ｂにより押圧状態となるので、カートリッジ１３が簡易的に固定されると共に、良好な電気接続状態が保持される。
【００３７】
更に、吸排気系統及び電気系統への接続が、カートリッジ接続部１４へのカートリッジ１３の挿入動作のみにより完了するので、カートリッジ１３の交換作業が非常に容易なものとなる。
【００３８】
更に、空気を原料として、高電圧の印加によりオゾンを発生させる方式であれば、カートリッジ１３に、プラズマオゾン発生方式又は沿面放電方式等のオゾン発生素子を内蔵することが可能である。
【００３９】
尚、上記の実施の形態では、カートリッジ及びカートリッジ接続部は、ほぼ円筒の形状である例を示したが、円筒である必要はなく、また、筒状構造でなくても良い。
【００４０】
また、上記の実施の形態では、カートリッジの胴部の外側面に正端子及び負端子が露出するように形成されている例を示したが、これらは、露出するように形成されていなくても良い。
【００４１】
更に、上記の実施の形態では、カートリッジは、カートリッジ接続部から一部を突出させるように取り付けられる構成の例を示したが、全体が内部へ挿入される構成でも構わない。
【００４２】
更に、上記の実施の形態では、吸気管及び排気管が、共に、カートリッジ接続部の内側に突出するように設置される例を示したが、一方のみが突出するように設置されていても良く、また、いずれもが突出されていなくても良い。
【００４３】
更に、上記の実施の形態では、ボールプランジャー（正負の電圧印加端子）が、共に、カートリッジ接続部の内側に突出するように設置される例を示したが、一方のみが突出するように設置されていても良く、また、いずれもが突出されていなくても良い。
【００４４】
更に、上記の実施の形態では、カートリッジをカートリッジ接続部に取り付けた際に、吸排気系と電気系とが同時に接続を完了する構成の例を示したが、これに限らず、別々に接続を行う構成であっても良い。
【００４５】
更に、上記の実施の形態では、カートリッジの所定の一部は、オゾンの発光色を透過する透明体で形成される例を示したが、オゾンの発光色を透過しない材質で形成されていても良く、また、全体が透明体で形成されていても構わない。
【００４６】
更に、上記の実施の形態では、カートリッジの正端子及び負端子は、胴部の外側面に、互いに対向するように配置される例を示したが、これらは対向していなくても良い。
【００４７】
更に、上記の実施の形態では、カートリッジ接続部に取り付けられる正負の電圧印加端子が一対のボールプランジャーにより構成される例を示したが、ボールプランジャーに限らず、例えば、ソケット等の構成を用いても良い。
【図面の簡単な説明】
【００４８】
【図１】この考案の第１の実施の形態によるオゾン発生器の背面図である。
【図２】図１のＩＩ−ＩＩラインの断面図である。
【図３】図２のＸ部分のオゾン生成部を拡大した正面側からみた斜視図である。
【図４】図３のオゾン生成部の背面側からみた斜視図である。
【図５】図４のＶ−Ｖラインの断面図である。
【図６】図４のＶＩ−ＶＩラインの断面図である。
【図７】図３のオゾン生成部の正面側からみた分解斜視図である。
【図８】図７のオゾン生成部の背面側からみた分解斜視図である。
【図９】図８のＩＸ−ＩＸラインの断面図である。
【図１０】図８のＸ−Ｘラインの断面図である。
【図１１】従来のオゾン発生器の正面図である。
【図１２】図１１のＸＩＩ−ＸＩＩラインの断面図である。
【符号の説明】
【００４９】
１３…カートリッジ
１４…カートリッジ接続部
１５…吸気管
１６…排気管
１７…オゾン発生素子
１８…レンズ体
１９…ボールプランジャー
２４…ボール部
２５…端子
２７…吸気孔
２８…排気孔
尚、各図中同一符号は同一又は相当部分を示す。
【図１】
0003122973.tif 000003
【図２】
0003122973.tif 000004
【図３】
0003122973.tif 000005
【図４】
0003122973.tif 000006
【図５】
0003122973.tif 000007
【図６】
0003122973.tif 000008
【図７】
0003122973.tif 000009
【図８】
0003122973.tif 000010
【図９】
0003122973.tif 000011
【図１０】
0003122973.tif 000012
【図１１】
0003122973.tif 000013
【図１２】
0003122973.tif 000014